【手続補正書】
【提出日】平成25年6月24日(2013.6.24)
【手続補正１】
【補正対象書類名】明細書
【補正対象項目名】００１３
【補正方法】変更
【補正の内容】
【００１３】
そのために本発明は、インクを吐出するための複数のノズルを第１の方向に配列してなる第１のノズル列および第２のノズル列を含む第１のチップと、インクを吐出するための複数のノズルを前記第１の方向に配列してなる第３のノズル列と第４のノズル列を含む第２のチップと、が前記第１の方向と交差する第２の方向に、重複領域を設けて配置された記録ヘッドを用いて、記録媒体に画像を記録するために用いられる画像データを処理するための画像処理装置であって、前記重複領域に対応する画像データを、前記第１のチップおよび前記第２のチップの前記ノズル列に分配する分配手段と、前記分配手段によって分配された前記画像データを前記記録ヘッドに供給する供給手段とを備え、前記分配手段は、前記重複領域の第１の領域に対応する画像データを少なくとも前記第１のノズル列および前記第３のノズル列の両方に分配し、前記重複領域の前記第１の領域以外の領域に対応する画像データを前記第１のノズル列または前記第３のノズル列の一方に分配してもう一方には分配せず、前記分配手段は、前記重複領域の前記第１の方向において前記第１の領域とは異なる位置にある第２の領域に対応する画像データを、少なくとも前記第２のノズル列および前記第４のノズル列の両方に分配し、前記重複領域の前記第２の領域以外の領域に対応する画像データを前記第２のノズル列または前記第４のノズル列の一方に分配してもう一方には分配しない、ことを特徴とする。
【手続補正２】
【補正対象書類名】特許請求の範囲
【補正対象項目名】全文
【補正方法】変更
【補正の内容】
【特許請求の範囲】
【請求項１】
インクを吐出するための複数のノズルを第１の方向に配列してなる第１のノズル列および第２のノズル列を含む第１のチップと、インクを吐出するための複数のノズルを前記第１の方向に配列してなる第３のノズル列と第４のノズル列を含む第２のチップと、が前記第１の方向と交差する第２の方向に重複領域を設けて配置された記録ヘッドを用いて、記録媒体に画像を記録するために用いられる画像データを処理するための画像処理装置であって、
前記重複領域に対応する画像データを、前記第１のチップおよび前記第２のチップの前記ノズル列に分配する分配手段と、
前記分配手段によって分配された前記画像データを前記記録ヘッドに供給する供給手段と
を備え、
前記分配手段は、前記重複領域の第１の領域に対応する画像データを少なくとも前記第１のノズル列および前記第３のノズル列の両方に分配し、前記重複領域の前記第１の領域以外の領域に対応する画像データを前記第１のノズル列または前記第３のノズル列の一方に分配してもう一方には分配せず、
前記分配手段は、前記重複領域の前記第１の方向において前記第１の領域とは異なる位置にある第２の領域に対応する画像データを、少なくとも前記第２のノズル列および前記第４のノズル列の両方に分配し、前記重複領域の前記第２の領域以外の領域に対応する画像データを前記第２のノズル列または前記第４のノズル列の一方に分配してもう一方には分配しない、ことを特徴とする画像処理装置。
【請求項２】
前記分配手段は、記録許容率が変化する前記第１の領域および前記第２の領域において、該領域に位置する前記第１、第２、第３および第４のノズル列のうち、前記第２の方向における最も外側に位置する少なくとも１列のノズル列からはインクを吐出しないように、前記画像データを前記ノズル列に分配することを特徴とする請求項１に記載の画像処理装置。
【請求項３】
多値の前記画像データを２値の画像データに量子化する量子化手段を更に備え、
前記分配手段は、各画素に対する記録の許容或いは非許容を定めたマスクパターンを用いることにより、前記量子化手段によって量子化された２値の画像データを、前記第１チップおよび前記第２のチップの前記ノズル列に分配することを特徴とする請求項１または２に記載の画像処理装置。
【請求項４】
多値の前記画像データを分割することにより、前記第１、第２、第３および第４のノズル列に対応した複数の多値データを生成する多値データ分割手段と、
該多値データ分割手段によって得られた複数の多値データのそれぞれを量子化することにより、前記第１、第２、第３および第４のノズル列に対応した複数の２値データを生成する２値データ生成手段と、
を更に備え、
前記分配手段は、各画素に対する記録の許容或いは非許容を定めたマスクパターンを用いることにより、前記２値データ生成手段によって得られた前記前記第１、第２、第３および第４のノズル列に対応する２値の画像データを、前記第１のチップおよび前記第２のチップ上の前記第１、第２、第３および第４のノズル列に分配することを特徴とする請求項１または２に記載の画像処理装置。
【請求項５】
前記２値データ生成手段は、前記第１、第２、第３および第４のノズル列に対応した複数の多値データに基づいて、該複数の多値データのそれぞれを量子化することを特徴とする請求項４に記載の画像処理装置。
【請求項６】
前記分配手段は、前記第１のチップおよび前記第２のチップのそれぞれにおいて、前記第１の方向の最も端部に位置するノズルの記録許容率が、中央部に位置するノズルの記録許容率よりも小さくなるように、前記画像データを前記ノズル列に分配することを特徴とする請求項１乃至５の何れかに記載の画像処理装置。
【請求項７】
前記分配手段は、前記第２の方向において、前記第１の領域のうち前記第１のノズル列のノズルにデータを分配する比率と前記第３のノズル列のノズルにデータを分配する比率との大小関係が変化する位置と、前記第２の領域のうち前記第２のノズル列のノズルにデータを分配する比率と前記第４のノズル列のノズルにデータを分配する比率との大小関係が変化する位置が異なるように、前記画像データを前記ノズル列に分配することを特徴とする請求項１乃至６の何れかに記載の画像処理装置。
【請求項８】
前記分配手段は、前記第１の領域については、前記第１のノズル列のノズルにデータを分配する比率が前記第１のチップの端部に向かって減少し、前記第３のノズル列のノズルにデータを分配する比率が前記第２のチップの端部に向かって減少するように前記画像データを前記ノズル列に分配し、
前記第２の領域については、前記第２のノズル列のノズルにデータを分配する比率が前記第１のチップの端部に向かって減少し、前記第４のノズル列のノズルにデータを分配する比率が前記第２のチップの端部に向かって減少するように前記画像データを前記ノズル列に分配することを特徴とする請求項１乃至６の何れかに記載の画像処理装置。
【請求項９】
前記第１の領域および前記第２の領域は前記第２の方向において重複しないことを特徴とする請求項１乃至８の何れかに記載の画像処理装置。
【請求項１０】
前記第１の領域および前記第２の領域は前記第２の方向において重複することを特徴とする請求項１乃至８の何れかに記載の画像処理装置。
【請求項１１】
前記分配手段は、前記重複領域に対応する画像データに基づいて、前記第１のノズル列および前記第３のノズル列に対応する第１のデータを生成し、前記第１のデータのうち前記第１の領域に相当するデータを前記第１のノズル列と前記第３のノズル列とで分担して記録するように前記画像データを各ノズル列に分配し、
前記重複領域に対応する画像データに基づいて、前記第２のノズル列および前記第４のノズル列に対応する第２のデータを生成し、前記第２のデータのうち前記第２の領域に相当するデータを前記第２のノズル列と前記第４のノズル列とで分担して記録するように前記画像データを各ノズル列に分配することを特徴とする請求項１乃至１０の何れかに記載の画像処理装置。
【請求項１２】
前記分配手段は、前記第１のデータのうち前記第１の領域に対応するデータ以外のデータは、前記第１のノズル列と前記第３のノズル列のいずれか一方のノズル列を用いて記録されるように前記画像データを分配し、前記第２のデータのうち前記第２の領域に対応するデータ以外のデータは、前記第２のノズル列と前記第４のノズル列のいずれか一方のノズル列を用いて記録されるように前記画像データを分配することを特徴とする請求項１１に記載の画像処理装置。
【請求項１３】
インクを吐出するための複数のノズルを第１の方向に配列してなる第１のノズル列および第２のノズル列を含む第１のチップと、インクを吐出するための複数のノズルを前記第１の方向に配列してなる第３のノズル列と第４のノズル列を含む第２のチップと、が前記第１の方向と交差する第２の方向に、重複領域を設けて配置された記録ヘッドを用いて、記録媒体に画像を記録するために用いられる画像データを処理するための画像処理方法であって、
前記重複領域に対応する画像データを、前記第１のチップおよび前記第２のチップの前記ノズル列に分配する分配工程と、
前記分配工程によって分配された前記画像データを前記記録ヘッドに供給する供給工程と
を有し、
前記分配工程は、前記重複領域の第１の領域に対応する画像データを少なくとも前記第１のノズル列および前記第３のノズル列の両方に分配し、前記重複領域の前記第１の領域以外の領域に対応する画像データを前記第１のノズル列または前記第３のノズル列の一方に分配してもう一方には分配せず、
前記分配工程は、前記重複領域の前記第１の方向において前記第１の領域とは異なる位置にある第２の領域に対応する画像データを、少なくとも前記第２のノズル列および前記第４のノズル列の両方に分配し、前記重複領域の前記第２の領域以外の領域に対応する画像データを前記第２のノズル列または前記第４のノズル列の一方に分配してもう一方には分配しない、ことを特徴とする画像処理方法。
【請求項１４】
インクを吐出するための複数のノズルを第１の方向に配列してなる第１のノズル列および第２のノズル列を含む第１のチップと、インクを吐出するための複数のノズルを前記第１の方向に配列してなる第３のノズル列と第４のノズル列を含む第２のチップと、が前記第１の方向と交差する第２の方向に、重複領域を設けて配置された記録ヘッドを用いて、記録媒体に画像を記録するための画像記録装置であって、
前記重複領域に対応する画像データを、前記第１のチップおよび前記第２のチップの前記ノズル列に分配する分配手段と、
前記分配手段によって分配された前記画像データを前記記録ヘッドに供給する供給手段と
を備え、
前記分配手段は、前記重複領域の第１の領域に対応する画像データを少なくとも前記第１のノズル列および前記第３のノズル列の両方に分配し、前記重複領域の前記第１の領域以外の領域に対応する画像データを前記第１のノズル列または前記第３のノズル列の一方に分配してもう一方には分配せず、
前記分配手段は、前記重複領域の前記第１の方向において前記第１の領域とは異なる位置にある第２の領域に対応する画像データを、少なくとも前記第２のノズル列および前記第４のノズル列の両方に分配し、前記重複領域の前記第２の領域以外の領域に対応する画像データを前記第２のノズル列または前記第４のノズル列の一方に分配してもう一方には分配しない、ことを特徴とする画像記録装置。